(57)【要約】  予め定められた期間における第２の信号から第１の信号を予測することで第１の相関成分信号を生成し、第１の相関成分信号を用いて、第１の信号から第１の非相関成分信号を分離する第１の相関成分分離部（１１０）と、予め定められた期間における第１の信号から第２の信号を予測することで第２の相関成分信号を生成し、第２の相関成分信号を用いて、第２の信号から第２の非相関成分信号を分離する第２の相関成分分離部（１２０）と、第１の相関成分信号と第２の相関成分信号とを合成して、合成相関成分信号を生成する相関成分合成部（１３０）と、合成相関成分信号にゲインを乗算して、相関成分信号を生成する第１のゲイン乗算部（１３１）と、相関成分信号と第１の非相関成分信号とを加算する第１の信号加算部（１３２）と、相関成分信号と第２の非相関成分信号とを加算する第２の信号加算部（１３３）とを備える。
2019155603.tif 000002
【特許請求の範囲】
【請求項１】
第１の信号及び第２の信号の入力を受ける音響信号処理装置であって、
予め定められた期間における前記第２の信号から前記第１の信号を予測することで、前記第２の信号において前記第１の信号と相関関係にある第１の相関成分信号を生成し、前記第１の相関成分信号の逆位相の信号を前記第１の信号に加算することで、前記第１の信号から、前記第２の信号と相関関係にない第１の非相関成分信号を分離する第１の相関成分分離部と、
前記予め定められた期間における前記第１の信号から前記第２の信号を予測することで、前記第１の信号において前記第２の信号と相関関係にある第２の相関成分信号を生成し、前記第２の相関成分信号の逆位相の信号を前記第２の信号に加算することで、前記第２の信号から、前記第１の信号と相関関係にない第２の非相関成分信号を分離する第２の相関成分分離部と、
前記第１の相関成分信号と前記第２の相関成分信号とを合成して、合成相関成分信号を生成する相関成分合成部と、
前記合成相関成分信号にゲインを乗算して、相関成分信号を生成する第１のゲイン乗算部と、
前記相関成分信号と前記第１の非相関成分信号とを加算する第１の信号加算部と、
前記相関成分信号と前記第２の非相関成分信号とを加算する第２の信号加算部と、を備えること
を特徴とする音響信号処理装置。
【請求項２】
前記合成相関成分信号に対して、人が聞き取りやすい帯域を強調するディジタルフィルタを施す帯域強調部をさらに備え、
前記第１のゲイン乗算部は、前記帯域強調部により強調された前記合成相関成分信号に前記ゲインを乗算すること
を特徴とする請求項１に記載の音響信号処理装置。
【請求項３】
前記第１の非相関成分信号に対して、ゲインを乗算する第２のゲイン乗算部と、
前記第２の非相関成分信号に対して、ゲインを乗算する第３のゲイン乗算部と、をさらに備え、
前記第１の信号加算部は、前記相関成分信号と前記第２のゲイン乗算部により処理された前記第１の非相関成分信号とを加算し、
前記第２の信号加算部は、前記相関成分信号と前記第３のゲイン乗算部により処理された前記第２の非相関成分信号とを加算すること
を特徴とする請求項１又は２に記載の音響信号処理装置。
【請求項４】
前記第１のゲイン乗算部、前記第２のゲイン乗算部及び前記第３のゲイン乗算部の少なくとも一つで使用されるゲインの値を変更することができるようにされていること
を特徴とする請求項３に記載の音響信号処理装置。
【請求項５】
第１の信号及び第２の信号の入力を受け、
予め定められた期間における前記第２の信号から前記第１の信号を予測することで、前記第２の信号において前記第１の信号と相関関係にある第１の相関成分信号を生成し、
前記第１の相関成分信号の逆位相の信号を前記第１の信号に加算することで、前記第１の信号から、前記第２の信号と相関関係にない第１の非相関成分信号を分離し、
前記予め定められた期間における前記第１の信号から前記第２の信号を予測することで、前記第１の信号において前記第２の信号と相関関係にある第２の相関成分信号を生成し、
前記第２の相関成分信号の逆位相の信号を前記第２の信号に加算することで、前記第２の信号から、前記第１の信号と相関関係にない第２の非相関成分信号を分離し、
前記第１の相関成分信号と前記第２の相関成分信号とを合成して、合成相関成分信号を生成し、
前記合成相関成分信号にゲインを乗算して、相関成分信号を生成し、
前記相関成分信号と前記第１の非相関成分信号とを加算し、
前記相関成分信号と前記第２の非相関成分信号とを加算すること
を特徴とする音響信号処理方法。
【発明の詳細な説明】
【技術分野】
【０００１】
本発明は、音響信号処理装置及び音響信号処理方法に関する。
【背景技術】
【０００２】
テレビで放送されるコンテンツにおいて、台詞又はナレーション等の人の声は、ステレオ信号の左右チャネルにおいて高い相関をもつことが多い。一方、ＢＧＭ等の背景音は、ステレオ信号の左右チャネルにおいて低い相関をもつことが多い。【０００３】
上記の前提に基づき、ステレオ信号の左右チャネルの相関成分を抽出及び強調することにより人の声の聞き取り易さを改善する技術がある。【０００４】
例えば、特許文献１では、ステレオ信号の左右チャネルの和信号に対して、ヴォーカル音声帯域を抽出するフィルタと、ヴォーカル音声帯域から予め定められた周波数成分を減衰させるノッチフィルタとをかけることにより、人の声のみを強調する方法が開示されている。
【先行技術文献】
【特許文献】
【０００５】
【特許文献１】特開２００５−０８６４６２号公報
【発明の概要】
【発明が解決しようとする課題】
【０００６】
しかしながら、従来の技術では、ステレオ信号の和信号を用いることで相関成分を抽出するため、例えば、ステレオ信号の左右チャネルで数ミリセコンド（ｍｓ）のずれがある場合には、人の声等の聞き取り易さを改善することができなかった。【０００７】
そこで、本発明の１又は複数の態様は、第１の信号と第２の信号とで時間軸におけるずれがあっても、人の声の聞き取り易さを改善することができるようにすることを目的とする。
【課題を解決するための手段】
【０００８】
本発明の１態様に係る音響信号処理装置は、第１の信号及び第２の信号の入力を受ける音響信号処理装置であって、予め定められた期間における前記第２の信号から前記第１の信号を予測することで、前記第２の信号において前記第１の信号と相関関係にある第１の相関成分信号を生成し、前記第１の相関成分信号の逆位相の信号を前記第１の信号に加算することで、前記第１の信号から、前記第２の信号と相関関係にない第１の非相関成分信号を分離する第１の相関成分分離部と、前記予め定められた期間における前記第１の信号から前記第２の信号を予測することで、前記第１の信号において前記第２の信号と相関関係にある第２の相関成分信号を生成し、前記第２の相関成分信号の逆位相の信号を前記第２の信号に加算することで、前記第２の信号から、前記第１の信号と相関関係にない第２の非相関成分信号を分離する第２の相関成分分離部と、前記第１の相関成分信号と前記第２の相関成分信号とを合成して、合成相関成分信号を生成する相関成分合成部と、前記合成相関成分信号にゲインを乗算して、相関成分信号を生成する第１のゲイン乗算部と、前記相関成分信号と前記第１の非相関成分信号とを加算する第１の信号加算部と、前記相関成分信号と前記第２の非相関成分信号とを加算する第２の信号加算部と、を備えることを特徴とする。【０００９】
本発明の１態様に係る音響信号処理方法は、第１の信号及び第２の信号の入力を受け、予め定められた期間における前記第２の信号から前記第１の信号を予測することで、前記第２の信号において前記第１の信号と相関関係にある第１の相関成分信号を生成し、前記第１の相関成分信号の逆位相の信号を前記第１の信号に加算することで、前記第１の信号から、前記第２の信号と相関関係にない第１の非相関成分信号を分離し、前記予め定められた期間における前記第１の信号から前記第２の信号を予測することで、前記第１の信号において前記第２の信号と相関関係にある第２の相関成分信号を生成し、前記第２の相関成分信号の逆位相の信号を前記第２の信号に加算することで、前記第２の信号から、前記第１の信号と相関関係にない第２の非相関成分信号を分離し、前記第１の相関成分信号と前記第２の相関成分信号とを合成して、合成相関成分信号を生成し、前記合成相関成分信号にゲインを乗算して、相関成分信号を生成し、前記相関成分信号と前記第１の非相関成分信号とを加算し、前記相関成分信号と前記第２の非相関成分信号とを加算することを特徴とする。
【発明の効果】
【００１０】
本発明の１又は複数の態様によれば、第１の信号と第２の信号とで時間軸におけるずれがあっても、人の声の聞き取り易さを改善することができる。
【図面の簡単な説明】
【００１１】
【図１】実施の形態１に係る音響信号処理装置の構成を概略的に示すブロック図である。
【図２】第１の相関成分分離部の構成を概略的に示すブロック図である。
【図３】第２の相関成分分離部の構成を概略的に示すブロック図である。
【図４】（Ａ）及び（Ｂ）は、音響信号処理装置のハードウェア及びソフトウェアでの構成例を示すブロック図である。
【図５】音響信号処理装置での処理を示すフローチャートである。
【図６】実施の形態２に係る音響信号処理装置の構成を概略的に示すブロック図である。
【図７】帯域強調に用いるディジタルフィルタの周波数特性例を示す概略図である。
【図８】実施の形態３に係る音響信号処理装置の構成を概略的に示すブロック図である。
【発明を実施するための形態】
【００１２】
実施の形態１．
図１は、実施の形態１に係る音響信号処理装置１００の構成を概略的に示すブロック図である。
音響信号処理装置１００は、第１の相関成分分離部１１０と、第２の相関成分分離部１２０と、相関成分合成部１３０と、第１のゲイン乗算部としてのゲイン乗算部１３１と、第１の信号加算部１３２と、第２の信号加算部１３３とを備える。
なお、音響信号処理装置１００には、ステレオ信号が入力されることを前提としている。
【００１３】
第１の相関成分分離部１１０は、第１の信号としての左チャネル入力信号Ｓ１及び第２の信号としての右チャネル入力信号Ｓ２の入力を受ける。
第１の相関成分分離部１１０は、予め定められた期間における右チャネル入力信号Ｓ２から、右チャネル入力信号Ｓ２において左チャネル入力信号Ｓ１と相関関係にある第１の相関成分信号Ｓ４を生成する。
また、第１の相関成分分離部１１０は、第１の相関成分信号Ｓ４の逆位相の信号を左チャネル入力信号Ｓ１に加算することで、左チャネル入力信号Ｓ１から、右チャネル入力信号Ｓ２と相関関係にない第１の非相関成分信号としての左チャネル非相関成分信号Ｓ３を分離する。
【００１４】
図２は、第１の相関成分分離部１１０の構成を概略的に示すブロック図である。
第１の相関成分分離部１１０は、第１の予測部１１１と、第１の非相関成分算出部１１２とを備える。
以下の説明では、現在の時刻を時刻ｎとし、時刻ｎよりも予め定められた時間前の時刻をｎ−１とし、時刻ｎ−１よりも予め定められた時間前の時刻を時刻ｎ−２とし、・・・、時刻ｎ−（Ｎ−１）よりも予め定められた時刻を時刻ｎ−Ｎとする。そして、時刻ｎ、時刻ｎ−１、時刻ｎ−２、・・・、時刻ｎ−Ｎの各々における右チャネル入力信号Ｓ２を、ｒ（ｎ）、ｒ（ｎ−１）、ｒ（ｎ−２）、・・・、ｒ（ｎ−Ｎ）とする。なお、Ｎは、予測次数であり、２以上の整数である。
【００１５】
第１の予測部１１１は、ｒ（ｎ）、ｒ（ｎ−２）、・・・、ｒ（ｎ−Ｎ）と、予測係数とに基づいて、左チャネル入力信号Ｓ１を予測し、予測された信号を相関成分とみなし、第１の相関成分信号Ｓ４として、第１の非相関成分算出部１１２及び図１に示されている相関成分合成部１３０に与える。例えば、第１の相関成分信号Ｓ４は、ｒ（ｎ）、ｒ（ｎ−２）、・・・、ｒ（ｎ−Ｎ）と、予測係数とを畳み込むことにより算出される。
ここで、予測に用いるアルゴリズムとしては、例えば、既知の適応フィルタ技術であるＬＭＳ（Ｌｅａｓｔ−Ｍｅａｎ−Ｓｑｕａｒｅ）アルゴリズム等が用いられればよい。すなわち、第１の予測部１１１は、適応フィルタ処理により、左チャネル入力信号Ｓ１を予測する。
【００１６】
また、ＬＭＳアルゴリズム等の適応フィルタ技術を第１の予測部１１１に適用する場合には、第１の予測部１１１は、左チャネル非相関成分信号Ｓ３を受けると、予測係数の値を更新する。これは、左チャネル非相関成分信号Ｓ３が適応フィルタ技術においては、予測誤差を示す誤差信号であるためである。このため、第１の予測部１１１は、誤差信号が０に近づくように予測係数の値を更新して、左チャネル入力信号Ｓ１を予測することで、右チャネル入力信号Ｓ２において、左チャネル入力信号Ｓ１と高い相関を有する人の声を含む第１の相関成分信号Ｓ４を生成することができる。
【００１７】
図１に戻り、第２の相関成分分離部１２０は、右チャネル入力信号Ｓ２及び左チャネル入力信号Ｓ１の入力を受ける。
第２の相関成分分離部１２０は、予め定められた期間における左チャネル入力信号Ｓ１から、左チャネル入力信号Ｓ１において右チャネル入力信号Ｓ２と相関関係にある第２の相関成分信号Ｓ６を生成する。
また、第２の相関成分分離部１２０は、第２の相関成分信号Ｓ６の逆位相の信号を右チャネル入力信号Ｓ２に加算することで、右チャネル入力信号Ｓ２から、左チャネル入力信号Ｓ１と相関関係にない第２の非相関成分信号としての右チャネル非相関成分信号Ｓ５を分離する。
【００１８】
図３は、第２の相関成分分離部１２０の構成を概略的に示すブロック図である。
第２の相関成分分離部１２０は、第２の予測部１２１と、第２の非相関成分算出部１２２とを備える。
以下の説明では、時刻ｎ、時刻ｎ−１、時刻ｎ−２、・・・、時刻ｎ−Ｎの各々における左チャネル入力信号Ｓ１を、ｌ（ｎ）、ｌ（ｎ−１）、ｌ（ｎ−２）、・・・、ｌ（ｎ−Ｎ）とする。
【００１９】
第２の予測部１２１は、ｌ（ｎ）、ｌ（ｎ−１）、ｌ（ｎ−２）、・・・、ｌ（ｎ−Ｎ）と、予測係数とに基づいて、右チャネル入力信号Ｓ２を予測し、予測された信号を相関成分とみなし、第２の相関成分信号Ｓ６として、第２の非相関成分算出部１２２及び図１に示されている相関成分合成部１３０に与える。例えば、第２の相関成分信号Ｓ６は、ｌ（ｎ）、ｌ（ｎ−１）、ｌ（ｎ−２）、・・・、ｌ（ｎ−Ｎ）と、予測係数とを畳み込むことにより算出される。
予測に用いるアルゴリズムとしては、第１の予測部１１１と同様にＬＭＳアルゴリズム等が用いられればよい。
なお、ＬＭＳアルゴリズム等の適応フィルタ技術を第２の予測部１２１に適用する場合は、後述する右チャネル非相関成分信号Ｓ５を受けると、第２の予測部１２１は、予測係数の値を更新する。これは、右チャネル非相関成分信号Ｓ５が適応フィルタ技術においては、予測誤差を示す誤差信号であるためである。このため、第２の予測部１２１は、誤差信号が０に近づくように予測係数の値を更新して、右チャネル入力信号Ｓ２を予測することで、左チャネル入力信号Ｓ１において、右チャネル入力信号Ｓ２と高い相関を有する人の声を含む第２の相関成分信号Ｓ６を生成することができる。
【００２０】
第２の非相関成分算出部１２２は、第２の予測部１２１から与えられた第２の相関成分信号Ｓ６を逆相にするとともに、逆相にした第２の相関成分信号Ｓ６と右チャネル入力信号Ｓ２とを加算し、右チャネル非相関成分信号Ｓ５を算出する。なお、前述した通り、右チャネル非相関成分信号Ｓ５は、適応フィルタ技術においては、誤差信号である。
【００２１】
図１に戻り、相関成分合成部１３０は、第１の相関成分信号Ｓ４と、第２の相関成分信号Ｓ６とを受けて、これらの２つの信号の加算処理を行うことで、これらを合成し、合成相関成分信号Ｓ７を算出する。
例えば、相関成分合成部１３０は、下記の（１）式に基づく処理を行い、算出されたＸＰ（ｎ）を合成相関成分信号Ｓ７として、ゲイン乗算部１３１に与える。
【数１】
2019155603.tif 000003
ここでｌＰ（ｎ）は、第１の相関成分信号Ｓ４を表し、ｒＰ（ｎ）は、第２の相関成分信号Ｓ６を表す。
【００２２】
ゲイン乗算部１３１は、合成相関成分信号Ｓ７を受けて、合成相関成分信号Ｓ７にゲインを重畳し、ゲイン重畳された合成相関成分信号を、相関成分信号Ｓ８として、第１の信号加算部１３２及び第２の信号加算部１３３に与える。
ここで、合成相関成分信号Ｓ７は、人の声の成分を多く含むので、重畳するゲインは、１よりも大きい値が望ましい。また、ゲインの値は、固定値であってもよいし、図示されていない入力部及び表示部を介して、ＧＵＩ（Ｇｒａｆｉｃａｌ  Ｕｓｅｒ  Ｉｎｔｅｒｆａｃｅ）を用いてユーザが設定する可変値でもよい。
【００２３】
第１の信号加算部１３２は、左チャネル非相関成分信号Ｓ３と、相関成分信号Ｓ８とを加算し、最終的な出力である、左チャネル出力信号Ｓ９を生成する。生成された左チャネル出力信号Ｓ９は、音響信号処理装置１００の後段に出力される。
同様に、第２の信号加算部１３３は、右チャネル非相関成分信号Ｓ５と、相関成分信号Ｓ８とを加算し、最終的な出力である、右チャネル出力信号Ｓ１０を生成する。生成された右チャネル出力信号Ｓ１０は、音響信号処理装置１００の後段に出力される。
【００２４】
音響信号処理装置１００は、ハードウェア（Ｈ／Ｗ）又はソフトウェア（Ｓ／Ｗ）で実現可能である。
図４（Ａ）は、音響信号処理装置１００をＨ／Ｗで構成した場合の一例を示すブロック図である。
音響信号処理装置１００は、処理回路１５０により実現することができる。この場合、処理回路１５０には、メディア再生装置１５１又は放送波受信装置１５２からステレオ信号が、処理回路１５０に入力される。そして、処理回路１５０で処理されたステレオ信号は、ＤＡＣ回路１５３でアナログ信号に変換され、アンプ１５４を介して、スピーカ１５５に渡される。なお、メディア再生装置１５１は、例えば、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）又はＢＤ（Ｂｌｕ-ｒａｙ  Ｄｉｓｃ）等の媒体からデジタル情報を読み取る装置が相当する。
また、表示装置１５６は、ゲインの値を変更するための画面画像を表示する表示部として機能し、入力装置１５７は、ゲインの値を入力するための入力部として機能する。
【００２５】
図４（Ｂ）は、音響信号処理装置１００をＳ／Ｗで構成した場合の一例を示すブロック図である。
音響信号処理装置１００は、外部記憶装置１６０に記憶されたプログラムを、メモリ１６１に読み出して、プロセッサ１６２で実行することにより、実現することができる。この場合、プロセッサ１６２は、外部記憶装置１６０に記憶されたデータ、又は、メモリ１６１に展開されたデータを処理する。なお、外部記憶装置１６０は、例えば、直接又はネットワークを経由して接続されたハードディスクドライブ（ＨＤＤ）又はソリッドステートドライブ（ＳＳＤ）等の記憶装置が相当する。
なお、メディア再生装置１５１、放送波受信装置１５２、スピーカ１５５、表示装置１５６又は入力装置１５７が接続されていてもよい。
【００２６】
ここで、図４（Ａ）に示されている処理回路１５０、メディア再生装置１５１又は放送波受信装置１５２、ＤＡＣ回路１５３、アンプ１５４、スピーカ１５５、表示装置１５６、及び、入力装置１５７により、音響装置が構成されてもよい。
または、図４（Ｂ）に示されている外部記憶装置１６０、メモリ１６１、プロセッサ１６２、メディア再生装置１５１又は放送波受信装置１５２、スピーカ１５５、表示装置１５６、及び、入力装置１５７により音響装置が構成されてもよい。
【００２７】
図５は、実施の形態１における音響信号処理装置１００での処理を示すフローチャートである。
まず、第１の相関成分分離部１１０は、左チャネル入力信号Ｓ１及び右チャネル入力信号Ｓ２の入力を受けて、左チャネル非相関成分信号Ｓ３及び第１の相関成分信号Ｓ４を生成する（Ｓ１０）。
【００２８】
また、第２の相関成分分離部１２０は、右チャネル入力信号Ｓ２及び左チャネル入力信号Ｓ１の入力を受けて、右チャネル非相関成分信号Ｓ５及び第２の相関成分信号Ｓ６を生成する（Ｓ１１）。
【００２９】
次に、相関成分合成部１３０は、第１の相関成分信号Ｓ４と、第２の相関成分信号Ｓ６とを合成して、合成相関成分信号Ｓ７を生成する（Ｓ１２）。
【００３０】
次に、ゲイン乗算部１３１は、合成相関成分信号Ｓ７にゲインを重畳して、相関成分信号Ｓ８を生成する（Ｓ１３）。
【００３１】
次に、第１の信号加算部１３２は、左チャネル非相関成分信号Ｓ３と、相関成分信号Ｓ８とを加算し、左チャネル出力信号Ｓ９を生成する（Ｓ１４）。
また、第２の信号加算部１３３は、右チャネル非相関成分信号Ｓ５と、相関成分信号Ｓ８とを加算し、右チャネル出力信号Ｓ１０を生成する（Ｓ１５）。
【００３２】
以上のように、実施の形態１によれば、相関成分分離部１１０、１２０により、入力信号を相関成分信号と非相関成分信号とに分離し、相関成分信号に対してゲインを乗算することで、人の声の聞き取り易さを改善することができる。
【００３３】
また、相関成分を抽出するのに、適応フィルタのアルゴリズムを用いるため、ステレオ信号の左右チャネルで数ｍｓずれた相関成分も抽出することが可能である。
【００３４】
実施の形態２．
図６は、実施の形態２に係る音響信号処理装置２００の構成を概略的に示すブロック図である。
音響信号処理装置２００は、第１の相関成分分離部１１０と、第２の相関成分分離部１２０と、相関成分合成部１３０と、ゲイン乗算部１３１と、第１の信号加算部１３２と、第２の信号加算部１３３と、帯域強調部２３４とを備える。
【００３５】
実施の形態２に係る音響信号処理装置２００は、帯域強調部２３４が追加されている点を除いて、実施の形態１に係る音響信号処理装置１００と同様に構成されている。
但し、相関成分合成部１３０は、合成相関成分信号Ｓ７を帯域強調部２３４に与え、ゲイン乗算部１３１は、後述するように、帯域強調部２３４から与えられる強調合成相関成分信号Ｓ１１に対してゲインを重畳する。
【００３６】
帯域強調部２３４は、合成相関成分信号Ｓ７を受けて、その合成相関成分信号Ｓ７に対して、人が聞き取りやすい帯域をフィルタ処理により強調する。帯域強調部２３４が使用するディジタルフィルタは、ＦＩＲ（Ｆｉｎｉｔｅ  Ｉｍｐｕｌｓｅ  Ｒｅｓｐｏｎｓｅ）フィルタ又はＩＩＲ（Ｉｎｆｉｎｉｔｅ  Ｉｍｐｕｌｓｅ  Ｒｅｓｐｏｎｓｅ）フィルタで実現すればよい。帯域強調に用いるディジタルフィルタの周波数特性例を図７に示す。
人が聞き取りやすい帯域は、人の声の聞き取り易さにとって重要な帯域である。
【００３７】
そして、帯域強調部２３４は、帯域強調された合成相関成分信号を強調合成相関成分信号Ｓ１１として、ゲイン乗算部１３１に与える。
【００３８】
以上のように、実施の形態２によれば、帯域強調部２３４により、人の声の聞き取り易さにとって重要な帯域が強調されるので、人の声の明瞭度がさらに改善するという効果を得ることができる。
【００３９】
実施の形態３．
図８は、実施の形態３に係る音響信号処理装置３００の構成を概略的に示すブロック図である。
音響信号処理装置３００は、第１の相関成分分離部１１０と、第２の相関成分分離部１２０と、相関成分合成部１３０と、ゲイン乗算部１３１と、第１の信号加算部１３２と、第２の信号加算部１３３と、帯域強調部２３４と、第２のゲイン乗算部としてのゲイン乗算部３３５と、第３のゲイン乗算部としてのゲイン乗算部３３６とを備える。
【００４０】
実施の形態３に係る音響信号処理装置３００は、ゲイン乗算部３３５及びゲイン乗算部３３６が追加されている点を除いて、実施の形態２に係る音響信号処理装置２００と同様に構成されている。
但し、第１の相関成分分離部１１０は、分離された左チャネル非相関成分信号Ｓ３を、ゲイン乗算部３３５に与え、第２の相関成分分離部１２０は、分離された右チャネル非相関成分信号Ｓ５をゲイン乗算部３３６に与える。
また、第１の信号加算部１３２は、ゲイン乗算部３３５から与えられる乗算左チャネル非相関成分信号Ｓ１２と、相関成分信号Ｓ８とを加算し、第２の信号加算部１３３は、ゲイン乗算部３３６から与えられる乗算右チャネル非相関成分信号Ｓ１３と、相関成分信号Ｓ８とを加算する。
【００４１】
ゲイン乗算部３３５は、左チャネル非相関成分信号Ｓ３を受けて、その左チャネル非相関成分信号Ｓ３に対して、ゲインを乗算し、ゲイン乗算された左チャネル非相関成分信号を、乗算左チャネル非相関成分信号Ｓ１２として、第１の信号加算部１３２に与える。ここで、左チャネル非相関成分信号Ｓ３は、人の声以外の成分を多く含むので、重畳するゲインは１よりも小さい値が望ましい。また、ゲインの値は、固定値であってもよいし、上述のようにＧＵＩを用いてユーザが設定する可変値でもよい。
【００４２】
ゲイン乗算部３３６は、右チャネル非相関成分信号Ｓ５を受けて、その右チャネル非相関成分信号Ｓ５に対して、ゲインを乗算し、ゲイン乗算された右チャネル非相関成分信号を、乗算右チャネル非相関成分信号Ｓ１３として、第２の信号加算部１３３に与える。ここで、右チャネル非相関成分信号Ｓ５は、人の声以外の成分を多く含むので、重畳するゲインは１よりも小さい値が望ましい。また、ゲインの値は、固定値であってもよいし、上述のようにＧＵＩを用いてユーザが設定する可変値でもよい。
【００４３】
以上のように、実施の形態３によれば、ゲイン乗算部３３５、３３６により、人の声以外の成分の音量を小さくすることができるので、人の声の明瞭度がさらに改善するという効果を得ることができる。
【００４４】
実施の形態３において、帯域強調部２３４が備えられていなくてもよい。
【符号の説明】
【００４５】
１００，２００，３００  音響信号処理装置、  １１０  第１の相関成分分離部、  １１１  第１の予測部、  １１２  第１の非相関成分算出部、  １２０  第２の相関成分分離部、  １２１  第２の予測部、  １２２  第２の非相関成分算出部、  １３０  相関成分合成部、  １３１  ゲイン乗算部、  １３２  第１の信号加算部、  １３３  第２の信号加算部、  ２３４  帯域強調部、  ３３５  ゲイン乗算部、  ３３６  ゲイン乗算部。
【図１】
2019155603.tif 000004
【図２】
2019155603.tif 000005
【図３】
2019155603.tif 000006
【図４】
2019155603.tif 000007
【図５】
2019155603.tif 000008
【図６】
2019155603.tif 000009
【図７】
2019155603.tif 000010
【図８】
2019155603.tif 000011
【国際調査報告】
2019155603.tif 000012
2019155603.tif 000013